【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
物体側より像側へ順に、負の屈折力の第１レンズ群、正の屈折力の第２レンズ群、正の屈折力の第３レンズ群を有し、広角端から望遠端へのズーミングに際し、隣り合うレンズ群の間隔が変化するように各レンズ群が移動するズームレンズにおいて、
前記第１レンズ群は、物体側より像側へ順に、負の屈折力の第１１レンズ、正の屈折力の第１２レンズからなり、
前記第１１レンズの材料のアッベ数をνｄ１１、部分分散比をθｇＦ１１、前記第１２レンズの材料のアッベ数をνｄ１２、部分分散比をθｇＦ１２、前記第１レンズ群の焦点距離をｆ１、望遠端における全系の焦点距離をｆＴとするとき、
−０．６＜ｆ１／ｆＴ＜−０．１
−０．０２０＜（θｇＦ１１−θｇＦ１２）／（νｄ１１−νｄ１２）＜−０．００４
１５＜νｄ１１−νｄ１２＜４０
なる条件式を満足することを特徴とするズームレンズ。
【請求項２】
前記第１１レンズの材料の屈折率をＮｄ１１、前記第１２レンズの材料の屈折率をＮｄ１２とするとき、
１．９０＜（Ｎｄ１１＋Ｎｄ１２）／２＜２．３０
なる条件式を満足することを特徴とする請求項１に記載のズームレンズ。
【請求項３】
前記第１１レンズの物体側のレンズ面の曲率半径をＲ１１ａ、前記第１１レンズの像側のレンズ面の曲率半径をＲ１１ｂとするとき、
０．７５＜（Ｒ１１ａ−Ｒ１１ｂ）／（Ｒ１１ａ＋Ｒ１１ｂ）＜１．００
なる条件式を満足することを特徴とする請求項１または２に記載のズームレンズ。
【請求項４】
前記第１１レンズの物体側のレンズ面の曲率半径をＲ１１ａ、前記第１２レンズの像側のレンズ面の曲率半径をＲ１２ｂとするとき、
０．４０＜（Ｒ１１ａ−Ｒ１２ｂ）／（Ｒ１１ａ＋Ｒ１２ｂ）＜０．８０
なる条件式を満足することを特徴とする請求項１乃至３のいずれか１項に記載のズームレンズ。
【請求項５】
前記第３レンズ群の焦点距離をｆ３とするとき、
０．３＜｜ｆ１｜／ｆ３＜０．５
なる条件式を満足することを特徴とする請求項１乃至４のいずれか１項に記載のズームレンズ。
【請求項６】
前記第２レンズ群の焦点距離をｆ２とするとき、
０．９＜｜ｆ１｜／ｆ２＜１．２
なる条件式を満足することを特徴とする請求項１乃至５のいずれか１項に記載のズームレンズ。
【請求項７】
前記第２レンズ群の焦点距離をｆ２、前記第３レンズ群の焦点距離をｆ３とするとき、
０．２５＜ｆ２／ｆ３＜０．５０
なる条件式を満足することを特徴とする請求項１乃至６のいずれか１項に記載のズームレンズ。
【請求項８】
前記第１１レンズは、物体側の面が凸でメニスカス形状のレンズであり、前記第１２レンズは、物体側の面が凸でメニスカス形状のレンズであることを特徴とする請求項１乃至７のいずれか１項に記載のズームレンズ。
【請求項９】
前記第２レンズ群は、物体側より像側へ順に、物体側の面が凸形状の正レンズと像側の面が凹形状の負レンズを接合した接合レンズ、正レンズより構成されることを特徴とする請求項１乃至８のいずれか１項に記載のズームレンズ。
【請求項１０】
前記第３レンズ群は、１枚の正レンズより構成されることを特徴とする請求項１乃至９のいずれか１項に記載のズームレンズ。
【請求項１１】
広角端から望遠端へのズーミングに際して、前記第１レンズ群は像側に凸状の軌跡を描いて移動し、前記第２レンズ群は物体側に単調に移動し、前記第３レンズ群は像側に移動することを特徴とする請求項１乃至１０のいずれか１項に記載のズームレンズ。
【請求項１２】
前記第３レンズ群の像側に、正の屈折力の第４レンズ群を有することを特徴とする請求項１乃至１１のいずれか１項に記載のズームレンズ。
【請求項１３】
請求項１乃至１２のいずれか１項に記載のズームレンズと、該ズームレンズによって形成される像を受光する固体撮像素子を有することを特徴とする撮像装置。
【手続補正２】
【補正対象書類名】明細書
【補正対象項目名】００１０
【補正方法】変更
【補正の内容】
【００１０】
本発明のズームレンズは、物体側より像側へ順に、負の屈折力の第１レンズ群、正の屈折力の第２レンズ群、正の屈折力の第３レンズ群を有し、広角端から望遠端へのズーミングに際し、隣り合うレンズ群の間隔が変化するように各レンズ群が移動するズームレンズにおいて、
前記第１レンズ群は、物体側より像側へ順に、負の屈折力の第１１レンズ、正の屈折力の第１２レンズからなり、
前記第１１レンズの材料のアッベ数をνｄ１１、部分分散比をθｇＦ１１、前記第１２レンズの材料のアッベ数をνｄ１２、部分分散比をθｇＦ１２、前記第１レンズ群の焦点距離をｆ１、望遠端における全系の焦点距離をｆＴとするとき、
−０．６＜ｆ１／ｆＴ＜−０．１
−０．０２０＜（θｇＦ１１−θｇＦ１２）／（νｄ１１−νｄ１２）＜−０．００４
１５＜νｄ１１−νｄ１２＜４０
なる条件式を満足することを特徴としている。
【手続補正３】
【補正対象書類名】明細書
【補正対象項目名】００１５
【補正方法】変更
【補正の内容】
【００１５】
図３は本発明の実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比４．７１、開口比２．８８〜６．０８程度のズームレンズである。
【手続補正４】
【補正対象書類名】明細書
【補正対象項目名】００１６
【補正方法】変更
【補正の内容】
【００１６】
図５は本発明の実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。実施例３はズーム比４．９５、開口比２．８８〜６．０８程度のズームレンズである。
【手続補正５】
【補正対象書類名】明細書
【補正対象項目名】００１７
【補正方法】変更
【補正の内容】
【００１７】
図７は本発明の実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比５．１４、開口比２．８８〜６．０８程度のズームレンズである。
【手続補正６】
【補正対象書類名】明細書
【補正対象項目名】００１８
【補正方法】変更
【補正の内容】
【００１８】
図９は本発明の実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。実施例５はズーム比４．７１、開口比２．８８〜６．０８程度のズームレンズである。図１１は本発明のズームレンズを備えるデジタルスチルカメラ（撮像装置）の要部概略図である。レンズ断面図において、左方が物体側（前方）で、右方が像側（後方）である。
【手続補正７】
【補正対象書類名】明細書
【補正対象項目名】００２９
【補正方法】変更
【補正の内容】
【００２９】
各実施例において第１１レンズＧ１１の材料のアッベ数をνｄ１１、部分分散比をθｇＦ１１、第１２レンズＧ１２の材料のアッベ数をνｄ１２、部分分散比をθｇＦ１２とする。第１レンズ群Ｌ１の焦点距離をｆ１、望遠端における全系の焦点距離をｆＴとする。このとき、
−０．６＜ｆ１／ｆＴ＜−０．１        ・・・（１）
−０．０２０＜（θｇＦ１１−θｇＦ１２）／（νｄ１１−νｄ１２）＜−０．００４                                                          ・・・（２）
１５＜νｄ１１−νｄ１２＜４０        ・・・（３）
なる条件式を満足している。
【手続補正８】
【補正対象書類名】明細書
【補正対象項目名】００３０
【補正方法】変更
【補正の内容】
【００３０】
ここで、材料の部分分散比θｇＦは、ｇ線の屈折率をｎｇ、Ｆ線の屈折率をｎＦ、Ｃ線の屈折率をｎＣとしたとき、θｇＦ＝（ｎｇ−ｎＦ）／（ｎＦ−ｎＣ）で表される量である。条件式（１）〜（３）は、Ｆ線からｄ線までの波長範囲において、主に倍率色収差と像面彎曲を良好に補正するためのものである。
【手続補正９】
【補正対象書類名】明細書
【補正対象項目名】００３５
【補正方法】変更
【補正の内容】
【００３５】
−０．６＜ｆ１／ｆＴ＜−０．２        ・・・（１ａ）
−０．０１０＜（θｇＦ１１−θｇＦ１２）／（νｄ１１−νｄ１２）＜−０．００４                                                          ・・・（２ａ）
１５＜νｄ１１−νｄ１２＜３０        ・・・（３ａ）
さらに、好ましくは条件式（１ａ）乃至（３ａ）の数値範囲を以下のように設定することが望ましい。
【手続補正１０】
【補正対象書類名】明細書
【補正対象項目名】００３６
【補正方法】変更
【補正の内容】
【００３６】
−０．６＜ｆ１／ｆＴ＜−０．４        ・・・（１ｂ）
−０．００６＜（θｇＦ１１−θｇＦ１２）／（νｄ１１−νｄ１２）＜−０．０
０４                                                          ・・・（２ｂ）
２０＜νｄ１１−νｄ１２＜３０        ・・・（３ｂ）
各実施例において、更に好ましくは次の諸条件のうち１以上を満足するのが良い。
【手続補正１１】
【補正対象書類名】明細書
【補正対象項目名】００３７
【補正方法】変更
【補正の内容】
【００３７】
第１１レンズＧ１１の材料の屈折率をＮｄ１１、第１２レンズＧ１２の材料の屈折率Ｎｄ１２とする。第１１レンズＧ１１の物体側のレンズ面の曲率半径をＲ１１ａ，第１１レンズの像側のレンズ面の曲率半径をＲ１１ｂとする。第１２レンズＧ１２の像側のレンズ面の曲率半径をＲ１２ｂとする。第２レンズ群Ｌ２の焦点距離をｆ２、第３レンズ群Ｌ３の焦点距離をｆ３とする。このとき、以下の条件式のうち１以上を満足するのが良い。
【手続補正１２】
【補正対象書類名】明細書
【補正対象項目名】００５６
【補正方法】変更
【補正の内容】
【００５６】
各実施例において第１１レンズＧ１１は物体側の面が凸でメニスカス形状である。第１２レンズＧ１２は物体側の面が凸でメニスカス形状である。第２レンズ群Ｌ２は物体側より像側へ順に、物体側の面が凸形状の正の屈折力の第２１レンズＧ２１と像側の面が凹形状の負の屈折力の第２２レンズＧ２２を接合した接合レンズＧ２２ａ、正の屈折力の第２３レンズＧ２３より構成されている。第３レンズ群Ｌ３は１枚の正の屈折力の第３１レンズＧ３１より構成されている。実施例５において第４レンズ群Ｌ４は１枚の正の屈折力の第４１レンズＧ４１より構成されている。
【手続補正１３】
【補正対象書類名】明細書
【補正対象項目名】００５８
【補正方法】変更
【補正の内容】
【００５８】
このように本発明によれば、小型で高い光学性能を有する撮像装置が得られる。次に本発明の各実施例の数値実施例を示す。各数値実施例において、ｉは物体側からの面の順序を示し、ｒｉはレンズ面の曲率半径、ｄｉは第ｉ面と第ｉ＋１面との間のレンズ肉厚および空気間隔、ｎｄｉ、νｄｉはそれぞれｄ線に対する屈折率、アッベ数を示す。また、もっとも像側の２つの面は水晶ローパスフィルター、赤外カットフィルター等のフィルター部材（光学ブロック）である。ＢＦはバックフォーカスであり、最終レンズ面から像面までの空気換算長で表している。レンズ全長は第１レンズ面から最終レンズ面までの距離に空気換算長でのバックフォーカスを加えた値で示している。
【手続補正１４】
【補正対象書類名】明細書
【補正対象項目名】００６２
【補正方法】変更
【補正の内容】
【００６２】
［数値実施例１］
単位 mm
面データ
面番号       r        d      nd         νd
1        100.506    0.70   1.88300    40.8           
2*         5.100    2.22                             
3          8.741    2.20   2.14352    17.8           
4         13.045  (可変)                             
5*         4.726    2.11   1.85135    40.1           
6       -241.727    0.68   1.80518    25.5           
7          3.756    0.62                             
8*         8.916    1.30   1.55332    71.7           
9*        -9.327    0.46                             
10(絞り)    ∞     (可変)                             
11*        33.968    1.40   1.58313    59.5           
12*       -21.711  (可変)                             
13          ∞       0.80   1.51633    64.1           
14          ∞       0.52 
像面        ∞   
非球面データ
第2面
K  =-1.12757e+000  A 4= 5.22323e-004  A 6= 7.48195e-006
A 8=-3.17601e-007  A10= 1.14170e-008  A12=-1.72097e-010
A14= 6.97497e-013  
第5面
K  =-9.53205e-001  A 4= 5.79473e-004  A 6=-6.57755e-006
A 8= 1.61607e-006  
第8面
K  =-2.14952e+001  A 4= 2.90082e-003  A 6=-9.59881e-005
A 8=-3.05030e-005  
第9面
K  =-1.62937e-001  A 4=-1.02222e-003  A 6= 1.72899e-004
A 8=-5.30654e-005  
第11面
K  = 2.67092e+001  A 4= 7.51691e-004  A 6=-1.69912e-005
A 8= 1.21998e-006  A10= 1.06676e-010  A12= 2.56854e-010  
第12面
K  =-5.19998e+001  A 4= 5.51747e-004  A 6= 6.35788e-006
A 8= 6.77639e-007  A10= 2.81985e-009  A12= 9.35952e-010  
各種データ
ズーム比      3.93 
焦点距離       4.18    10.32    16.43    
Fナンバー      2.88     5.14     6.08  
半画角（度）   39.18    20.58    13.27     
像高           3.41     3.88     3.88       
レンズ全長     33.36    30.80    35.77 
BF             4.50     4.54     4.59 
d 4           13.09     3.02     0.46     
d10            4.09    11.56    19.03    
d12            3.45     3.49     3.54     
ズームレンズ群データ
群  始面    焦点距離  
1    1      -9.64  
2    5       9.31  
3   11      22.93  
【手続補正１５】
【補正対象書類名】明細書
【補正対象項目名】００６３
【補正方法】変更
【補正の内容】
【００６３】
［数値実施例２］
単位 mm
面データ
面番号       r        d      nd         νd
1*        88.000    0.70   1.88300    40.8           
2*         4.871    1.82                             
3          8.199    1.58   2.14352    17.8           
4         12.811    0.46                             
5*         4.649    2.14   1.85135    40.1           
6        -97.876    0.65   1.80518    25.5           
7          3.726    0.62                             
8*         8.810    1.30   1.55332    71.7           
9*       -10.029  (可変)                             
10(絞り)    ∞     (可変)                             
11*        29.598    1.40   1.58313    59.5           
12*       -22.726  (可変)                             
13          ∞       0.80   1.51633    64.1           
14          ∞       1.03 
像面        ∞   
非球面データ
第1面
K  = 1.48604e+002  A 4=-1.35119e-004  A 6= 4.12531e-007
A 8= 2.99213e-008  A10= 1.84480e-011  A12=-1.09388e-011  
第2面
K  =-1.05144e+000  A 4= 4.01906e-004  A 6=-2.14566e-006
A 8= 1.33034e-007  A10= 1.14170e-008  A12=-2.69394e-010
A14= 6.97497e-013  
第5面
K  =-9.17854e-001  A 4= 5.56333e-004  A 6=-1.67296e-005
A 8= 1.08584e-006  
第8面
K  =-1.33480e+001  A 4= 2.43735e-003  A 6= 1.31166e-004
A 8= 4.75368e-006  
第9面
K  =-2.37419e+000  A 4=-5.51195e-004  A 6= 1.54215e-004
A 8=-5.08123e-006  
第11面
K  = 3.99945e+000  A 4= 7.47048e-004  A 6=-1.30679e-005
A 8= 1.14464e-006  A10= 9.00951e-011  A12= 3.19277e-010  
第12面
K  =-3.79170e+001  A 4= 6.82283e-004  A 6=-2.43754e-006
A 8= 8.94031e-007  A12= 9.35952e-010  
各種データ
ズーム比      4.71 
焦点距離       4.12    11.74    19.40      
Fナンバー      2.88     5.14     6.08       
半画角（度）   39.61    18.26    11.30      
像高           3.41     3.88     3.88       
レンズ全長    32.86     31.35    38.48 
BF             4.50     4.46     4.42 
d 4           13.77     2.79     0.45     
d10            3.92    13.43    22.94    
d12            2.94     2.90     2.86     
ズームレンズ群データ
群  始面    焦点距離  
1    1      -9.60  
2    5       9.32  
3   11      22.26  
【手続補正１６】
【補正対象書類名】明細書
【補正対象項目名】００６４
【補正方法】変更
【補正の内容】
【００６４】
［数値実施例３］
単位 mm
面データ
面番号       r        d      nd         νd
1*        55.775    0.70   2.03972    40.4           
2*         5.373    1.87                             
3          8.467    1.45   2.10205    16.8           
4         13.401  (可変)                             
5*         4.589    2.01   1.85135    40.1           
6        -40.812    0.68   1.80518    25.5           
7          3.771    0.62                             
8*        12.507    1.30   1.55332    71.7           
9*        -7.711    0.24                             
10(絞り)    ∞      (可変)                             
11*        29.375    1.40   1.58313    59.5           
12*       -32.692  (可変) 
13          ∞       0.80   1.51633    64.1           
14          ∞       1.03 
像面        ∞   
非球面データ
第1面
K  = 5.57862e+001  A 4=-7.71380e-005  A 6= 1.48289e-006
A 8= 5.02698e-009  A10=-2.14727e-010  A12=-6.23872e-012  
第2面
K  =-9.66332e-001  A 4= 3.61547e-004  A 6= 2.46915e-006
A 8= 1.71086e-007  A10= 1.14170e-008  A12=-3.31567e-010
A14= 6.97497e-013  
第5面
K  =-6.43510e-001  A 4= 2.53492e-004  A 6=-1.59481e-005
A 8= 1.14361e-006  A12=-2.58006e-014  
第8面
K  =-4.87370e+000  A 4=-1.67198e-003  A 6= 2.35658e-004
A 8=-6.63398e-005  
第9面
K  = 3.97291e+000  A 4=-7.38132e-004  A 6= 1.60014e-004
A 8=-5.22186e-005  
第11面
K  = 2.37665e+001  A 4= 6.12067e-004  A 6=-1.43037e-005
A 8= 1.73712e-006  A12=-1.68803e-010  
第12面
K  = 3.74825e+001  A 4= 1.14514e-003  A 6=-1.29988e-005
A 8= 2.11995e-006  A12= 9.35952e-010  
各種データ
ズーム比      4.95 
焦点距離       3.92    11.64    19.40      
Fナンバー      2.88     5.14     6.08       
半画角（度）   41.03    18.41    11.30      
像高           3.41     3.88     3.88       
レンズ全長     32.99    31.20    38.48 
BF             4.52     4.47     4.42 
d 4           14.12     2.75     0.44     
d10            4.08    13.71    23.34    
d12            2.96     2.91     2.86     
ズームレンズ群データ
群  始面    焦点距離  
1    1      -9.05  
2    5       9.14  
3   11      26.76  
【手続補正１７】
【補正対象書類名】明細書
【補正対象項目名】００６５
【補正方法】変更
【補正の内容】
【００６５】
［数値実施例４］
単位 mm
面データ
面番号       r        d      nd         νd
1*        35.211    0.70   2.03972    40.4           
2*         4.701    1.62                             
3          7.481    1.32   2.10205    16.8           
4         12.108  (可変)                             
5*         4.480    2.09   1.85135    40.1           
6        -17.619    0.47   1.80518    25.5           
7          3.782    0.55                             
8*        14.413    1.27   1.55332    71.7           
9*        -7.155    0.19                             
10(絞り)    ∞     (可変)                             
11*        40.761    1.40   1.58313    59.5           
12*       -18.847  (可変)                             
13          ∞       0.80   1.51633    64.1           
14          ∞       0.77 
像面        ∞   
非球面データ
第1面
K  = 1.79697e+001  A 4= 4.65889e-005  A 6=-8.87048e-007
A 8= 1.54431e-008  A10=-9.71293e-010  A12= 5.50899e-012  
第2面
K  =-9.21491e-001  A 4= 6.51932e-004  A 6= 4.59250e-006
A 8= 2.94972e-007  A10= 1.14170e-008  A12=-7.75143e-010 
A14= 6.97497e-013  
第5面
K  =-6.59728e-001  A 4= 2.15749e-004  A 6=-1.96571e-005
A 8=-8.66399e-007  A12= 3.51503e-009  
第8面
K  =-9.11569e+000  A 4=-1.84052e-003  A 6= 2.67416e-004
A 8=-1.87259e-005  
第9面
K  = 4.02986e+000  A 4=-6.15745e-004  A 6= 2.13941e-004
A 8=-2.15824e-005  A10=-1.19250e-008  
第11面
K  =-1.38433e+002  A 4= 5.53869e-004  A 6=-5.26681e-005
A 8= 3.16059e-006  A12=-9.81690e-010  
第12面
K  = 1.44537e+001  A 4= 7.69116e-004  A 6=-3.03137e-005
A 8= 2.58150e-006  A12= 9.35952e-010  
各種データ
ズーム比      5.14 
焦点距離       3.78    11.59    19.40      
Fナンバー      2.88     5.14     6.08       
半画角（度）   42.09    18.48    11.30      
像高           3.41     3.88     3.88       
レンズ全長     31.06    30.49    38.48 
BF             4.39     4.40     4.42 
d 4           13.10     2.48     0.42     
d10            3.95    13.99    24.03    
d12            3.09     3.10     3.12     
ズームレンズ群データ
群  始面    焦点距離  
1    1      -8.60  
2    5       8.74  
3   11      22.29  
【手続補正１８】
【補正対象書類名】明細書
【補正対象項目名】００６６
【補正方法】変更
【補正の内容】
【００６６】
［数値実施例５］
単位 mm
面データ
面番号       r        d      nd         νd
1*        93.993    0.70   1.88300    40.8           
2*         4.791    1.94                             
3          8.772    1.55   2.14352    17.8           
4         14.640  (可変)                             
5*         4.591    2.50   1.85135    40.1           
6        -34.920    0.50   1.80518    25.5           
7          3.579    0.63                             
8*         9.086    1.30   1.55332    71.7           
9*        -9.839    0.46                             
10(絞り)    ∞     (可変)                             
11*        22.267    1.40   1.58313    59.5           
12*       -59.189  (可変)                             
13         50.000    1.00   1.51633    64.1           
14        -50.000  (可変)                             
15          ∞       0.50   1.51633    64.1           
16          ∞       0.53 
像面        ∞   
非球面データ
第1面
K  = 1.71859e+002  A 4=-1.64078e-004  A 6= 2.06163e-007
A 8= 4.27964e-008  A10=-6.21705e-011  A12=-1.14345e-011  
第2面
K  =-1.14617e+000  A 4= 4.28021e-004  A 6=-4.99773e-006
A 8= 1.14281e-007  A10= 1.14170e-008  A12=-2.52677e-010
A14= 6.97497e-013  
第5面
K  =-1.12886e+000  A 4= 9.44942e-004  A 6=-3.83783e-006
A 8= 1.38766e-006  
第8面
K  =-1.46489e+001  A 4= 1.40536e-003  A 6=-5.22821e-005
A 8=-4.25627e-005  
第9面
K  = 4.23754e+000  A 4=-5.39069e-004  A 6= 2.65822e-005
A 8=-4.24268e-005  A10=-2.01686e-011  
第11面
K  =-3.80856e+000  A 4= 6.85871e-004  A 6=-1.66450e-005
A 8= 2.03099e-007  A10= 3.89238e-009  A12= 4.75889e-010  
第12面
K  =-2.93401e+002  A 4= 7.21385e-004  A 6=-1.02932e-005
A 8=-8.49219e-008  A12= 9.35952e-010  
各種データ
ズーム比      4.71 
焦点距離       4.12    11.79    19.40      
Fナンバー      2.88     5.14     6.08       
半画角（度）   39.61    18.20    11.30      
像高           3.41     3.88     3.88       
レンズ全長     33.80    32.39    39.82 
BF             1.36     1.86     2.37 
d 4           14.04     2.83     0.46     
d10            3.84    13.84    23.84    
d12            2.58     1.87     1.17     
d14            0.50     1.00     1.51     
ズームレンズ群データ
群  始面    焦点距離  
1    1      -9.57  
2    5       9.47  
3   11      27.92  
4   13      48.58